(57)【特許請求の範囲】
【請求項１】
建物において開口部を有する壁部の厚さ方向一側である前側に引戸が設けられ、該引戸の壁部に沿った左右方向の移動により開口部を開閉するようにしたアウトセット構造のゲート型引戸装置であって、
上記開口部の左右一側にある壁部の前側に上レール部材が設けられ、
上記引戸の戸尻側には、該引戸が上記開口部を閉じた閉じ位置にあるときに上記壁部と重なる引き残し部が設けられ、該引き残し部の上部には、上向きに延びて上記上レール部材にスライド可能に係合する少なくとも２本のガイドピンが引戸の戸先側部及び戸尻側部を結ぶ方向に互いに間隔をあけて突設され、
上記引戸は、引き残し部の上部が上記ガイドピンにより上レール部材に係合された状態で、上記上レール部材下方の床部上ないし開口部前側の床部上を走行可能とされていることを特徴とするゲート型引戸装置。
【請求項２】
請求項１において、
上レール部材と平行に延びる下レール部材が上レール部材下方の床部ないし開口部前側の床部に亘り連続するように設けられ、
引戸の下部に上記下レール部材上を走行する戸車が設けられており、
引戸の下部は、上記戸車により下レール部材に沿って走行可能とされていることを特徴とするゲート型引戸装置。
【請求項３】
請求項１又は２において、
ガイドピンは、引戸の戸先側に位置する戸先側ガイドピンと、引戸の戸尻側に位置する戸尻側ガイドピンとの２本であることを特徴とするゲート型引戸装置。
【請求項４】
請求項３において、
２本のガイドピンの間隔は１１０ｍｍ以下であることを特徴とするゲート型引戸装置。
【請求項５】
請求項１〜４のいずれか１つにおいて、
上レール部材の上面は、前側に向かって下側に向かうように前下がりに傾斜していることを特徴とするゲート型引戸装置。
【請求項６】
請求項１〜５のいずれか１つにおいて、
引戸上端部の高さ位置は開口部の上端部よりも低く、
引戸は閉じ位置で開口部の下側部を開閉するように構成されていることを特徴とするゲート型引戸装置。
【請求項７】
請求項６において、
引戸上端部の高さ位置は７００ｍｍ以上であることを特徴とするゲート型引戸装置。
【請求項８】
請求項１〜７のいずれか１つにおいて、
複数のガイドピンは互いに同じものであることを特徴とするゲート型引戸装置。
【発明の詳細な説明】
【技術分野】
【０００１】
本発明は、ゲート型引戸装置に関する。
【背景技術】
【０００２】
従来、建物の開口部を引戸により開閉する引戸装置として、例えば特許文献１に示されているように上吊り型のものがよく知られ、広く一般に使用されている。この上吊り型の引戸装置は上荷重型とも呼ばれるものであり、開口部とその側方の壁部とに亘って延びる上レール部材が設けられ、引戸（扉）の戸先側及び戸尻側の上端部には上レール部材に転動可能に係合される戸車（ローラ）が取り付けられ、この戸車の上レール部材での移動により引戸が上端部で上レール部材に吊下げ支持されてスライドする。引戸の下端部については、その下面に溝部が形成され、その溝部に床部上の下レール部材やガイドピンが係合することで案内されるようになっている。この上吊り型の引戸装置は、引戸を少ない部材で支持して安定して走行させることができる。
【先行技術文献】
【特許文献】
【０００３】
【特許文献１】特開２００３−３４３１６４号公報
【発明の概要】
【発明が解決しようとする課題】
【０００４】
ところで、例えば乳幼児の居る幼児施設や保育施設等の建物では、室内の乳幼児が開口部を通って自由に室外に出ないようにするために、その開口部にベビーゲート（乳幼児ゲート）を設置することがある。このベビーゲートは、開口部の全体を開閉するのではなく、その閉じ状態で開口部の下部のみを閉じて、乳幼児が不用意に開口部を通らないようにするものである。
【０００５】
しかし、このベビーゲートを上記上吊り型の引戸装置で形成しようとした場合、引戸を吊り下げる上レール部材は開口部の上下中間部を通ることになり、開口部本来の利用が妨げられ、実用性がない。
【０００６】
また、ベビーゲートは、閉じ状態や半閉じ状態にあるときに、乳幼児が引戸を押したり引戸にぶつかったりして引戸にある程度の横荷重や衝撃が加わっても、その引戸が上下レール部材から外れるのを防いで引戸の走行を確保できるようにして、その作動安定性や信頼性を高めることが要求される。
【０００７】
本発明は斯かる諸点に鑑みてなされたもので、その目的は、引戸装置の構造に工夫を施すことにより、引戸が開口部の下部を開閉する引戸装置に限らず、開口部の全体を開閉する引戸装置であっても、引戸をスムーズに安定して走行させつつ、引戸に横荷重が加わったときに引戸を外れ難くしようとすることにある。
【課題を解決するための手段】
【０００８】
上記の目的を達成すべく、この発明では、引戸装置は、壁部の厚さ方向一側に配置される引戸が床部上を走行するアウトセット構造の下荷重型とする。その上で、開口部側方の壁部に上レール部材を配置し、引戸にその閉じ位置で開口部側方の壁部に重なる引き残し部を形成して、その引き残し部に引戸の戸先側及び戸尻側に離れた複数のガイドピンを突設し、それらガイドピンを上レール部材に係合させて案内させるようにした。
【０００９】
具体的には、第１の発明は、建物において開口部を有する壁部の厚さ方向一側である前側に引戸が設けられ、該引戸の壁部に沿った左右方向の移動により開口部を開閉するようにしたアウトセット構造のゲート型引戸装置が対象である。
【００１０】
そして、このゲート型引戸装置では、上記開口部の左右一側にある壁部の前側に上レール部材が設けられている。上記引戸の戸尻側には、該引戸が上記開口部を閉じた閉じ位置にあるときに上記壁部と重なる引き残し部が設けられ、該引き残し部の上部には、上向きに延びて上記上レール部材にスライド可能に係合する少なくとも２本のガイドピンが引戸の戸先側部及び戸尻側部を結ぶ方向に互いに間隔をあけて突設されており、上記引戸は、引き残し部の上部が上記ガイドピンにより上レール部材に係合された状態で、上記上レール部材下方の床部上ないし開口部前側の床部上を走行可能とされていることを特徴とする。
【００１１】
この第１の発明では、ゲート型引戸装置は、引戸が壁部の厚さ方向一側である前側に配置されたアウトセット構造のものであり、壁部前側に上レール部材が配置されている。そして、引戸は、下端部が上レール部材下方の床部上ないし開口部前側の床部上を走行し、上端部に突出する複数のガイドピンが上レール部材に係合してスライドすることで、左右方向に移動して開口部を開閉する。このことで、引戸はスムーズに安定して走行する。また、上レール部材は開口部の左右一側にある壁部の前側に設けられているので、引戸が閉じ位置で開口部の下側部を閉じる構造であっても、上レール部材は開口部まで延びてその上下中間部を通ることはなく、開口部本来の利用が妨げられることはない。
【００１２】
さらに、引戸の戸尻側には引戸の閉じ位置で壁部と重なる引き残し部が形成され、その引き残し部の上端部に複数のガイドピンが突出し、それらガイドピンにより引戸の上端部が上レール部材に係合している。そのため、引戸の上端部は複数本のガイドピンにより上レール部材に支持され、下端部は床部に支持される。このことで、引戸装置の閉じ状態や半閉じ状態で引戸の前後方向の横荷重に対する抵抗が大きくなり、特に上端部にあっては複数のガイドピンが引戸の戸先側部及び戸尻側部を結ぶ方向に互いに間隔をあけて配置されているので、上記横荷重に対する抵抗が大に確保される。そのため、引戸に前後方向の横荷重が加わっても引戸が外れ難くなり、ゲート型引戸装置の作動安定性や信頼性が向上する。
【００１３】
第２の発明は、第１の発明において、上記上レール部材と平行に延びる下レール部材が上レール部材下方の床部ないし開口部前側の床部に亘り連続するように設けられ、引戸の下部に上記下レール部材上を走行する戸車が設けられており、引戸の下部は、戸車により下レール部材に沿って走行可能とされていることを特徴とする。
【００１４】
この第２の発明では、壁部の前側ないし開口部の前側の床部上に下レール部材が設けられ、この下レール部材に沿って引戸下部の戸車が走行する。また、引戸の上部は複数のガイドピンが上レール部材に係合してスライドする。これらにより、引戸が左右方向に移動して開口部を開閉する。このように引戸は下部が戸車により下レール部材に支持されることになり、引戸装置の閉じ状態や半閉じ状態で引戸の前後方向の横荷重に対する抵抗がより一層大きくなる。
【００１５】
第３の発明は、第１又は第２の発明において、上記ガイドピンは、引戸の戸先側に位置する戸先側ガイドピンと、引戸の戸尻側に位置する戸尻側ガイドピンとの２本であることを特徴とする。
【００１６】
この第３の発明では、ガイドピンが戸先側ガイドピンと戸尻側ガイドピンとの２本でありながら、引戸装置の閉じ状態や半閉じ状態での引戸の前後方向の横荷重に対する抵抗を大に確保することができる。
【００１７】
第４の発明は、第３の発明において、２本のガイドピンの間隔は１１０ｍｍ以下であることを特徴とする。
【００１８】
この第４の発明では、引戸装置の閉じ状態や半閉じ状態で引戸に前後方向の横荷重が加えられた際、引戸は戸尻側ガイドピンを回動中心として、戸先側ガイドピンが上レール部材から外れる方向に回動するのではなく、戸先側ガイドピンを回動中心として、戸尻側ガイドピンが上レール部材から外れる方向に回動する。そのとき、２本のガイドピンの間隔が１１０ｍｍ以下であれば、上記回動に伴って戸尻側ガイドピンが上レール部材から外れるのを有効に防ぐことができる。
【００１９】
第５の発明は、第１〜第４の発明のいずれか１つにおいて、上レール部材の上面は、前側に向かって（壁部から前側に離れる方向に向かって）下側に向かうように前下がりに傾斜していることを特徴とする。
【００２０】
この第５の発明では、上レール部材の上面が前下がりに傾斜しているので、例えば使用者、特に乳幼児が壁部の前側から手を伸ばして上レール部材に指を掛けようとしても、その傾斜した上面に指が掛かり難くなり、上レール部材に掴まってぶら下がる行為を抑止することができる。
【００２１】
第６の発明は、第１〜第５の発明のいずれか１つにおいて、引戸上端部の高さ位置は開口部の上端部よりも低く、引戸は閉じ位置で開口部の下側部を開閉するように構成されていることを特徴とする。
【００２２】
第７の発明は、第６の発明において、引戸上端部の高さ位置は７００ｍｍ以上であることを特徴とする。
【００２３】
この第６及び第７の発明では、引戸は閉じ位置で引戸が開口部の下側部を開閉するようになっており、例えば乳幼児ゲートに適用しても、その作動安定性や信頼性を向上させることができる。
【００２４】
第８の発明は、第１〜第７の発明のいずれか１つにおいて、複数のガイドピンは互いに同じものであることを特徴とする。
【００２５】
この第８の発明では、１種類のガイドピンを用いれば済み、部品点数が少なくなってコストダウンを図ることができる。
【発明の効果】
【００２６】
以上説明のように、本発明によると、下レール部材上を引戸が走行するアウトセット構造のゲート型引戸装置において、引戸の閉じ位置で壁部に重なる引き残し部を設けて、その上部に複数のガイドピンを引戸の戸先側部及び戸尻側部を結ぶ方向に互いに間隔をあけて突設し、それらガイドピンを上レール部材にスライド可能に係合したことにより、引戸が閉じ位置で開口部の下側部を閉じる構造であっても、上レール部材により開口部本来の利用が妨げられることはない。また、引戸装置の閉じ状態や半閉じ状態で引戸に前後方向の横荷重が加わっても引戸が外れ難くなって、引戸装置の作動安定性や信頼性の向上を図ることができる。
【図面の簡単な説明】
【００２７】
【図１】図１は、本発明の実施形態に係るゲート型引戸装置の閉じ状態を示す正面図である。
【図２】図２は、ゲート型引戸装置の開き状態を示す図１相当図である。
【図３】図３は、図１のIII−III線拡大断面図である。
【図４】図４は、上レール部材の戸尻側端部を拡大して示す正面図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
図１及び図２は本発明の実施形態に係るゲート型引戸装置Ａの全体構成を示し、このゲート型引戸装置Ａは、建物の壁部Ｗに形成されている開口部１の下部を開閉するようになっている。この実施形態では、建物は例えば保育施設等の複数の乳幼児が集まるものであり、開口部１は例えば乳幼児の居室と他の空間との間の壁部Ｗに開口されており、ゲート型引戸装置Ａは、乳幼児が居室から他の空間に往来しないようにするためのベビーゲート（乳幼児ゲート）として設置されている。本実施形態において、前側とはゲート型引戸装置Ａにおいて居室側を、また後側とは居室と反対側をそれぞれ言い、左右とはゲート型引戸装置Ａを前側から見て言うものとする。
【００３０】
開口部１の左側には戸先側縦枠２が施工されている。戸先側縦枠２は、前後幅が壁部Ｗの厚さよりも大きく、その前部に壁部Ｗよりも前側に突出する戸当たり部２ａを有し、その戸当たり部２ａの右側面（戸尻側側面）には、戸当たり部２ａの厚さが他の部分よりも薄くなるように戸当たり部２ａの右側面を段差状に切り欠いた切欠段部３が形成されている。尚、開口部１の右側に戸尻側縦枠を施工してもよい。
【００３１】
ゲート型引戸装置Ａは、開口部１を有する壁部Ｗの厚さ方向一側である前側（図１及び図２で手前側）に位置する引戸３１（扉）を備え、この引戸３１が左右方向に移動することで、開口部１の上部が開放されたままで下部のみが開閉されるようになっており、ゲート型引戸装置Ａはアウトセット構造とされている。
【００３２】
上記開口部１の右側にある壁部Ｗの前側には所定の高さ位置（引戸３１よりも少し高い位置）に左右水平方向に延びる上レール部材８が取付固定されている。この上レール部材８は、引戸３１の左右幅よりも少し短い長さを有し、その左端部は開口部１の戸尻側端部近傍に位置している。
【００３３】
図３及び図４に示すように、上レール部材８はレール部材本体９とカバー２０とを備えている。レール部材本体９は角筒状のレール構造体１０と、その後側に位置する板状の取付部１４とを有し、レール構造体１０の下壁部には、レール構造体１０の長さ方向に延びるスリット状のレール溝１１が開口されている。レール構造体１０において、レール溝１１の前後両端部には下向きに延びる前後の縦壁部１０ａ，１０ａが形成され、各縦壁部１０ａの下端部は相対向する縦壁部１０ａから離れるように折れ曲がっていて、両下端部間の間隔が上側の他の部分よりも若干大きくなっている。また、両縦壁部１０ａ，１０ａの対向面の上部寄り位置にはそれぞれ横壁部１０ｂ，１０ｂが互いに対向するように突設されており、これらの両横壁部１０ｂ，１０ｂと各横壁部１０ｂ下側の両縦壁部１０ａ，１０ａとで区画される部分に、後述のガイドピン３６，３７の回転ローラ４０を係合して案内する溝状のレール部１２が形成されている。このレール部１２は上記縦壁部１０ａの下端部の折れ曲がりにより下部の幅が上部よりも広い２段の構造となっている。
【００３４】
上記取付部１４は上下方向の幅を有する細長い板状のもので、その幅方向中間部の上側寄り部分と上記レール構造体１０の上側後部の角部とは、該角部から斜め後側に延びる上側接続部１５により接続されている。一方、取付部１４の幅方向中間部の下側寄り部分とレール構造体１０の下側後部の角部とは、該角部から後側に水平に延びる下側接続部１６により接続され、これら取付部１４、上側及び下側接続部１５，１６はレール構造体１０と一体に形成されている。そして、取付部１４を上側接続部１５への接続部分の上側取付位置と下側接続部１６への接続部分の下側取付位置とで壁部Ｗにビス止めすることにより、レール部材本体９が壁部Ｗに固定されている。
【００３５】
レール構造体１０の上部前寄り部分には上方に延びる前側係合部１７が、また上記取付部１４の上端部には前側係合部１７よりも高い位置に位置する後側係合部１８がそれぞれ形成されている。これら係合部１７，１８は板状部をその幅方向中間部で断面略Ｌ字状に屈曲させた爪状のものである。以上のレール構造体１０、取付部１４、接続部１５，１６及び係合部１７，１８を含むレール部材本体９は、例えばアルミニウムの押出し成形材等からなっている。
【００３６】
上記カバー２０は例えばアルミニウムや硬質樹脂等の押出し成形材からなるもので、上記上レール部材８に上レール部材８を前側及び上側から覆うように一体的に取り付けられている。このカバー２０は、レール部材本体９におけるレール構造体１０の前側に位置して該レール構造体１０を前側から覆う上下方向に延びる前壁部２０ａと、この前壁部２０ａの上端に連続し、レール構造体１０ないし取付部１４の上側に位置してそれらを上側から覆う上壁部２０ｂとを有し、上壁部２０ｂは、前側に向かって下側に向かうように前下がり（後上がり）に傾斜している。上壁部２０ｂ下面の前端寄り部分には下側に延びる前側係止部２１が、また後端部には同様の後側係止部２２がそれぞれ一体に突設され、これら係止部２１，２２は上記レール部材本体９の係合部１７，１８と同様に板状部を幅方向中間部で断面略Ｌ字状に屈曲させた爪状のものであり、前側係止部２１をレール部材本体９の前側係合部１７に、また後側係止部２２をレール部材本体９の後側係合部１８にそれぞれ係合させることで、カバー２０がレール部材本体９に取付固定されている。
【００３７】
上記カバー２０は長さ方向の両端部に開放され、その両開放端は、カバー２０の両端部に一体的に固定したエンドキャップ２４，２４により閉塞されており、各エンドキャップ２４は例えばカバー２０と同じ樹脂等からなっている。尚、エンドキャップ２４はレール部材本体９にもビス止め等で固定されており、図３中、１９はそのレール部材本体９のビス固定部である。
【００３８】
上記上レール部材８の色、具体的には例えばその外表面側に露出するカバー２０の色は、壁部Ｗと同一色か同系色とされているのが好ましい。
【００３９】
また、図４にも示すように、上レール部材８の右端部には、その下面から下方に突出するエンドストッパ２５がレール部材本体９のレール構造体１０に固定されて取り付けられており、このエンドストッパ２５に引戸３１の戸尻側端部の上端部が当接することで、その引戸３１が開き端位置に規制されるようになっている。
【００４０】
尚、図示しないが、上レール部材８に、引戸３１が前後方向に振れて転倒するのを規制するための振れ止め部材を固定してもよい。例えば、この振れ止め部材は、下側に開放されかつ底壁部に振れ止め部材の長さ方向に延びる長孔が貫通形成された断面コ字状の部材とする。そして、その振れ止め部材を底壁部上面でレール部材本体９下端部に設置して引戸３１の上端部に前後から被せるように配置し、その引戸３１を振れ止め部材にスライド可能に挿通させればよい。こうすると、引戸３１の上端部が前後方向に振れて転倒するのを規制することができて好ましい。
【００４１】
一方、図１及び図２に示すように、開口部１ないし壁部Ｗの前側の床部Ｆには上記上レール部材８と平行に水平左右方向に延びる下レール部材２８が、上レール部材８下方の床部Ｆ（壁部Ｗ前側の床部Ｆ）から開口部１前側の床部Ｆまでの範囲に亘って連続するように敷設されている。この下レール部材２８は、例えば床部Ｆに形成した溝部に埋め込まれてビス止めにより固定される埋め込みタイプ、或いは床部Ｆにビス等により固定される直付けタイプが用いられ、いずれも床部Ｆと段差が小さいフラットレールとされ、図示しないが、下レール部材２８の上面には上側に開口するレール溝が形成されている。また、下レール部材２８の右端部には、その上方に突出するエンドストッパ２９が上レール部材８のエンドストッパ２５に上下に対応して固定されて取り付けられており、このエンドストッパ２９により引戸３１の開き端位置を戸尻側端部の下端部で規制するようにしている。
【００４２】
上記引戸３１はフラッシュ構造の板状体であり、その上端部の高さ位置は開口部１の上端部よりも低くかつ例えば乳幼児の背丈よりも高い７００ｍｍ以上（乳幼児が容易に乗り越えられない高さ）である。このことで、引戸３１は閉じ位置で開口部１の下部を開閉するように構成されている。
【００４３】
引戸３１の左端部である戸先側端部の下部には戸先側戸車３３が、また右端部である戸尻側端部の下部には戸尻側戸車３４がそれぞれ引戸３１に埋め込まれて取り付けられている。これらの戸車３３，３４には、引戸３１下面から突出するローラ（図示せず）が前後方向の回転軸心を持って回転可能に支持されており、このローラを上記下レール部材２８上でその溝部に係合させた状態で転動させることで、引戸３１を床部Ｆに支持した下荷重の状態で左右方向に移動させるようにしている。よって、引戸３１は、上レール部材８と下レール部材２８との間に支持されて左右方向に移動する。尚、戸車３３，３４を取り付ける位置は、引戸３１の戸先側端部及び戸先側端部に限定しなくてもよく、その数も３つ以上であってもよい。
【００４４】
引戸３１の左右幅は開口部１の左右幅よりも大きく、引戸３１が開口部１を閉じた図１に示す閉じ位置で、引戸３１の戸尻側（右側）に、開口部１右側の壁部Ｗと重なる引き残し部３２が設けられている。この引戸３１の引き残し部３２のうちの戸尻側部分には、引戸３１の戸先側に位置する戸先側ガイドピン３６と、戸尻側に位置する戸尻側ガイドピン３７との２本が上向きに延びるように引戸３１の上面から突出した状態で取り付けられ、２本のガイドピンの間には間隔Ｄが空けられている。これら２本のガイドピン３６，３７は互いに同じものであり、図３に拡大して示すように、円柱状の下側の埋め込み部３８と、下半部が埋め込み部３８内に同心状に配置され、上半部が埋め込み部３８の上端から同心状に上方に延びる回転不能の丸棒状の軸部３９と、この軸部３９の上部に同心状に回転可能に支持された円板状の回転ローラ４０とを有する。回転ローラ４０は、上記上レール部材８におけるレール部１２の断面構造と対応するように、上部の外径が下部の外径よりも小さい段付きローラからなっている。すなわち、回転ローラ４０の上部の外径はレール部１２の上部の幅よりも、また下部の外径はレール部１２の下部の幅よりもそれぞれ小さく、回転ローラ４０がレール部１２に嵌合された状態では、回転ローラ４０の上部及び下部で共にレール部１２との間に前後両側の隙間が生じるようになっている。そして、埋め込み部３８を引戸３１の上面に形成した有底状の埋め込み穴３１ａに圧入等により嵌合することにより、各ガイドピン３６，３７が軸部３９及び回転ローラ４０を引戸３１から突出させて引戸３１の上面に固定されている。このように引戸３１の引き残し部３２に固定された各ガイドピン３６，３７は、上記上レール部材８におけるレール部１２に回転ローラ４０の転動により移動可能に係合されている。よって、引戸３１は、引き残し部３２の上部が２つのガイドピン３６，３７により上レール部材８に係合された状態で下レール部材２８に沿って走行可能とされ、ゲート型引戸装置Ａの全開状態では、引戸３１が壁部Ｗの前側に重なった全開位置に位置して開口部１が開放される一方、全閉状態では、引戸３１は戸先側端部が戸先側縦枠２における戸当たり部２ａの切欠段部３に入り込み、引き残し部３２が壁部Ｗに重なった状態の全閉位置に位置して開口部１の下側部を閉じるようになっている。尚、回転ローラ４０の代わりに、レール部１２をスライドするスライド部材を設けることもできる。
【００４５】
本発明の特徴は、上記のように、引戸３１の引き残し部３２の上部に、引戸３１の戸先側に位置する戸先側ガイドピン３６と、戸尻側に位置する戸尻側ガイドピン３７との２本が取り付けられ、両ガイドピン３６，３７が上レール部材８に係合されていること、及び戸先側ガイドピン３６と戸尻側ガイドピン３７とが引戸３１の戸先側部及び戸尻側部を結ぶ左右方向（引戸３１の幅方向）に互いに間隔Ｄをあけて配置されていることにある。これらのうち、例えば戸尻側ガイドピン３７は引戸３１の戸尻側端部から一定距離だけ離れた定位置にあり、この戸尻側ガイドピン３７から間隔Ｄをあけた位置に戸先側ガイドピン３６が固定されている。そして、両ガイドピン３６，３７の間隔Ｄは例えば１１０ｍｍ以下であることが好ましい。
【００４６】
すなわち、引戸装置Ａの閉じ状態や半閉じ状態で引戸３１に前後方向の横荷重が加えられた際、引戸３１は、戸尻側ガイドピン３７を回動中心として、戸先側ガイドピン３６が上レール部材８から外れる方向に回動するのではなく、戸先側ガイドピン３６を回動中心として、戸尻側ガイドピン３７が上レール部材８から外れる方向に回動する。そのとき、両ガイドピン３６，３７の間隔Ｄが１１０ｍｍを超えると、小さい横荷重であっても、戸尻側ガイドピン３７の破損や上レール部材８の曲がり等が生じて引戸３１が走行不能になることがあるからである。一方、２本のガイドピン３６，３７の間隔Ｄが実質的に１本のガイドピンとして機能する程度まで小さくなると、２本のガイドピン３６，３７の機能を良好に発揮させることができなくなる。
【００４７】
本発明の実施形態では、上記引戸３１の引き残し部３２に２本のガイドピン３６，３７を設けることの他に、以下の構造が採用されている。例えば、上レール部材８の内部にはソフトクローズ機構４５が設けられている。このソフトクローズ機構４５は公知構造のもので、図示しないが引込みバネとダンパとを有しており、引戸３１が開き状態又は半開き状態から全閉位置に向かって移動したときに直前の所定位置で上レール部材８に突設したトリガにより引戸３１を捕捉して引込みバネにより引き込むとともに、その引込みによる引戸３１の移動をダンパにより減衰することで、引戸３１をゆっくりと移動させて全閉位置に移動させるようにしている。尚、同様のソフトクローズ機構４５を開き方向にも利用し、引戸３１が閉じ状態又は半閉じ状態から全開位置に向かって移動したときに、引戸３１をゆっくりと移動させて全開位置に移動させるようにすることもできる。
【００４８】
また、引戸３１の戸先側端部において、上端寄り位置から下端までに亘り、軟質樹脂等からなる細長状のクッション部材４６が取付固定されている。
【００４９】
さらに、引戸３１の戸先側端部には上記クッション部材４６の上端よりも高い位置、つまり乳幼児の手が届かない高さ位置に、引戸３１を閉じ状態にロックするための鎌錠４７が設けられている。この鎌錠４７も公知構造のもので、引戸３１内に前後方向の回動軸心をもって回動可能に支持されかつ回動により戸先側端面から突出する鎌形のボルト（図示せず）と、そのボルトを回動させるための操作部４７ａとを有し、操作部４７ａは例えば引戸３１の前後面に露出している。戸先側縦枠２の切欠き段部３には係合穴を有する受座（図示せず）が取り付けられており、引戸３１が閉じ位置にあって、その戸先側端部が戸先側縦枠２における切欠段部３に当接しているときに、操作部４７ａによってボルトを回動させて引戸３１の戸先側端面から突出させ、その先端部を受座の係合穴に係合状態で挿入することにより、引戸３１を閉じ位置にロックして保持するようになっている。
【００５０】
また、引戸３１の戸先側端部には、上記クッション部材４６の上端部と略同じ高さ位置の前後面にそれぞれ引手４９，４９（図１及び図２では前側の引手４９のみを示している）が対応して取り付けられている。この引手４９や鎌錠４７を引戸３１に設ける場合、引戸３１の前後面の所定位置に凹部を設けてその凹部に引手４９を装着したり、鎌錠４７の操作部４７ａを露出させるための穴部を設けたりすることが一般的であるが、この実施形態では、凹部の代わりに引戸３１を前後面に亘り貫通する貫通孔３１ｂが開口されており、その貫通孔３１ｂの引戸３１前後面の開口部に引手４９，４９が装着され、或いは別の貫通孔３１ｂに鎌錠４７の操作部４７ａが引戸３１の前後面に露出するように装着されている。こうすれば、鎌錠４７や引手４９を引戸３１の前後両側から操作することができるだけでなく、ゲート型引戸装置Ａの施工現場で引手３１の前後面を選択して引手４９や鎌錠４７を取り付けることができる利点が得られる
さらに、戸先側縦枠２の戸当たり部２ａの切欠段部３において、上記鎌錠４７の受座よりも高い位置には振れ止め部材５１が取り付けられている。この振れ止め部材５１は、図示しないが戸尻側に突出する例えば縦長の突起部を有し、この突起部は引戸３１の戸先側端面に形成した例えば縦長の係合凹部（図示せず）に嵌合可能となっている。そして、ゲート型引戸装置Ａの全閉状態で、引戸３１の戸先側端面が戸先側縦枠２の切欠段部３に当接したときに、振れ止め部材５１の突起部が引戸３１の係合凹部に嵌合することで、引戸３１の戸先側部が前後にずれてがたつくのを防止するようにしている。
【００５１】
また、引戸３１の戸先側部分の下部には、透明材を嵌め込んだ例えば円形状の固定窓５３が形成され、この固定窓５３を通して乳幼児等が引戸３１の反対側を見通せるようにしている。こうして引戸３１下部の固定窓５３により引戸３１の反対側が見えることで、背の低い乳幼児等であっても引戸３１の向こう側を容易に視認できるようになり、安全性の点で有利となる。しかも、固定窓５３は引戸３１の戸先側部分に配置されているので、戸尻側部分に配置されている場合に比べ、引戸３１の開閉時に固定窓５３が壁部Ｗに重なって隠れる状態の出現頻度や割合が少なくなり、その固定窓５３が機能し易くなる。
【００５２】
したがって、上記実施形態に係るゲート型引戸装置Ａは、引戸３１及び上下のレール部材８，２８が壁部Ｗの厚さ方向一側である前側に配置されたアウトセット構造であり、引戸３１下端部の戸先側及び戸尻側の戸車３３，３４が壁部Ｗの前側ないし開口部１の前側の床部Ｆ上の下レール部材２８に沿って走行し、引戸３１の上端部に突出する２本のガイドピン３６，３７が壁部Ｗ前側の上レール部材８に係合してスライドする。このことで、引戸３１はスムーズに左右方向に安定して走行して開口部１を開閉し、その全開位置では、引戸３１が壁部Ｗの前側に重なった状態で開口部１が開放され、全閉位置では、引戸３１の戸先側端部が戸先側縦枠２における戸当たり部２ａの切欠段部３に入り込み、戸尻側の引き残し部３２が壁部Ｗに重なった状態で開口部１の下側部を閉じる。そして、引戸３１が閉じ位置で開口部１の下部を閉じる構造であっても、上レール部材８が開口部１の上下中間部を通る構造は不要となり、開口部１本来の利用が妨げられることはない。
【００５３】
また、引戸３１の下端部は、引戸３１の自重により左右の戸車３３，３４において下レール部材２８に前後方向に移動不能にかつ左右方向に移動可能に支持される。一方、引戸３１の上端部については、その戸尻側の引き残し部３２の上端部に上記２本のガイドピン３６，３７が突出し、それらガイドピン３６，３７により引戸３１の上端部が上レール部材８に係合することで、引戸３１の上端部が２本のガイドピン３６，３７により上レール部材８に前後方向に移動不能にかつ左右方向に移動可能に支持される。このようにして引戸３１は上下端部で支持されているので、引戸３１が閉じ位置や半閉じ位置にあっても引戸３１の前後方向の横荷重に対する抵抗が大きくなる。その結果、引戸３１に乳幼児のぶつかり等による前後方向の横荷重が加わっても、引戸３１が上下レール部材８，２８から外れ難くなり、ゲート型引戸装置Ａの作動安定性や信頼性を向上させることができる。
【００５４】
特に、引戸３１の上端部にあっては戸尻側端部においてガイドピン３６，３７にて上レール部材８に支持されているので、引戸装置Ａの閉じ状態や半閉じ状態で引戸３１の前後方向の横荷重が加わると、引戸３１が戸尻側端部のガイドピン３６，３７の位置を支点として回動しようとする。しかし、上記ガイドピン３６，３７は、引戸３１の戸先側部及び戸尻側部を結ぶ方向に互いに間隔をあけて配置された２本であるので、これら２本のガイドピン３６，３７により上記横荷重の作用に伴う回動抵抗が大きくなり、引戸３１の戸尻側上端部が回動して戸尻側ガイドピン３７が上レール部材８から外れるのを抑制することができる。
【００５５】
そのとき、上記のように、引戸装置Ａの閉じ状態や半閉じ状態で引戸３１の前後方向の横荷重を加えた際、引戸３１は戸尻側ガイドピン３７を回動中心として、戸先側ガイドピン３６が上レール部材８から外れる方向に回動するのではなく、引戸３１において横荷重の作用点に近い戸先側ガイドピン３６を回動中心として回動して、戸尻側ガイドピン３７が上レール部材８から外れようとする。このような動きに対し、２本のガイドピン３６，３７の間隔が１１０ｍｍ以下であれば、上記回動に伴って戸尻側ガイドピン３７が上レール部材８から外れるのを有効に防ぐことができる。
【００５６】
これらのことにより、引戸装置Ａが引戸３１により開口部１の下側部を開閉する乳幼児ゲートであっても、その作動安定性や信頼性を向上させることができる。
【００５７】
また、上記２本のガイドピン３６，３７は互いに同じものであるので、１種類のガイドピンを用意すればよく、部品点数が少なくなってコストダウンを図ることができる。
【００５８】
また、戸先側縦枠２には、引戸３１が全閉位置にあるときにその係合凹部に嵌合する突起部を有する振れ止め部材５１が取り付けられているので、引戸３１の全閉位置での前後方向のがたつきを防止することができる。
【００５９】
引戸３１の戸先側部分に鎌錠４７が取り付けられており、引戸３１の閉じ位置で、この鎌錠４７の操作部４７ａの操作によりロックを回動させて戸先側縦枠２における受座の係合穴に係合させることで、その引戸３１を閉じ位置に固定することができ、閉じ位置にある引戸３１が不用意に開くことはない。この鎌錠４７及びその操作部４７ａは、引戸３１において乳幼児の手が届かない高さに配置されているので、乳幼児が容易に鎌錠４７をロック解除するのを防ぐこともできる。
【００６０】
しかも、上レール部材８にはカバー２０が取り付けられ、そのカバー２０により引戸３１の上端部と上レール部材８との間の隙間が小さくなっているので、その隙間に乳幼児が指等を挟みこむことを防止することができる。
【００６１】
また、上記カバー２０の上壁部２０ｂは前下がり（後上がり）に傾斜しているので、上壁部２０ｂが仮に水平状態となっている場合のように乳幼児の手の指が掛かり易くなることはなく、そのカバー２０に乳幼児が掴まってぶら下がることを避けることができる。
【００６２】
しかも、上レール部材８（特に外表面側に露出するカバー２０）の色が壁部Ｗと同一色か同系色であると、上レール部材８が壁部Ｗから突出していても、その壁部Ｗと見分けがつき難くなり、乳幼児が上レール部材８に掴まってぶら下がろうとする興味や意識を薄めることができる。
【００６３】
さらに、上レール部材８は各筒状のレール構造体１０を有し、そのレール構造体１０のレール部１２に各ガイドピン３６，３７の回転ローラ４０，４０が係合されているので、レール構造体１０の内部にソフトクローズ機構４５を組み込むスペースを確保できる。このソフトクローズ機構４５を組み込むことにより、引戸３１が勢いよく開閉されても、その動きはソフトクローズ機構４５により減衰されて、引戸３１はゆっくり閉じ位置、開き位置又はそれらの両方に移動するようになり、それらの位置に引戸３１が急激に移動することに伴う問題を回避することができる。
【００６４】
加えて、引戸３１の戸先側端部にクッション部材４６が取り付けられているので、乳幼児が戸先側縦枠２との間に指を挟んでも問題が生じることはない。
【００６５】
（その他の実施形態）
尚、上記実施形態は、本発明をベビーゲートに適用したものであるが、本発明は、引戸３１上端部の高さ位置が開口部１の上端部よりも低くて、引戸３１が閉じ位置で開口部１の下側部を開閉するように構成されているゲート型引戸装置であれば適用することができる。さらには、本発明は、上レール部材８が開口部１と同じ高さ位置にあって、引戸３１が開口部１の全体を開閉する（閉じ位置では引戸３１が開口部１全体を閉じる）ゲート型引戸装置にも適用が可能であり、開口部１の上側に上レール部材８を取り付けることが困難な場合等に有効である。
【００６６】
また、引戸３１の引き残し部３２に３本以上のガイドピンを設けることもできる。
【００６７】
さらに、上記実施形態では、床部Ｆに下レール部材２８を敷設し、その下レール部材２８上で引戸３１の戸車３３，３４を転動させて、引戸３１を移動させるようにしている。しかし、引戸３１の下部を移動案内するための構造は他のものであってもよい。例えば、引戸３１の下部に左右方向のガイド溝を形成し、そのガイド溝に係合する少なくとも１本のガイドピンを、開口部１前側の床部Ｆの壁部Ｗ寄り位置ないしは壁部Ｗ前側の床部Ｆに突設し、引戸３１の下部を床部Ｆ上のガイドピンにより案内しながら開閉方向にスライド移動させる構造、或いは、引戸３１の下部に直線走行用のキャスターを取り付け、そのキャスターを床部Ｆ上で転動させて引戸３１を開閉移動する構造であってもよい。こうすれば、引戸３１が移動する床部Ｆはフラットになり、安全性等の点で有利となる。
【産業上の利用可能性】
【００６８】
本発明は、開口部の上側に上レール部材が取り付けられないゲート型引戸装置に対し、横荷重が加わっても引戸が外れ難くなって作動安定性や信頼性の向上を図ることができるので、ベビーゲート等の分野で極めて有用であり、産業上の利用可能性が高い。
【符号の説明】
【００６９】
Ａ  ゲート型引戸装置
Ｗ  壁部
Ｆ  床部
１  開口部
２  戸先側縦枠
８  上レール部材
１２  レール部
２０  カバー
２０ｂ  上壁部
２８  下レール部材
３１  引戸
３２  引き残し部
３３  戸先側戸車
３４  戸尻側戸車
３６  戸先側ガイドピン
３７  戸尻側ガイドピン
Ｄ  間隔
４０  回転ローラ
【図１】
0006920700.tif 000002
【図２】
0006920700.tif 000003
【図３】
0006920700.tif 000004
【図４】
0006920700.tif 000005